【事件の表示】
　特願２００６−１０７４５３「画像符号化装置及び画像復号化装置」拒絶査定不服審判事件〔平成１９年１０月２５日出願公開、特開２００７−２８２０２０、請求項の数（８）〕について、次のとおり審決する。
【結　論】
　原査定を取り消す。
　本願の発明は、特許すべきものとする。
【理　由】
１．手続の経緯
　本願は、平成１８年４月１０日の出願であって、平成２３年３月２９日付けで拒絶査定がなされ、これに対し、同年６月３０日に拒絶査定に対する審判請求がなされるとともに、手続補正がなされたものである。
　
２．本願発明
　本願の請求項１に係る発明（以下、「本願発明」という。）は、平成２３年６月３０日付けの手続補正書の特許請求の範囲の請求項１に記載された事項により特定される、以下のとおりのものである。
　
「ウェーブレット変換によって画像信号を高域成分と低域成分とに再帰的に帯域分割することにより、複数の帯域成分の変換係数を生成するウェーブ
レット変換部と、
　前記変換係数に対して量子化を行う量子化部と、
　量子化された前記変換係数を前記帯域成分単位で回転させる回転処理を、外部から入力された、回転角（０°と９０°と１８０°と２７０°のうちのいずれか）を含む回転制御情報に基づいて行う回転処理部と、
　前記コードブロックに対してエントロピー符号化を行う符号化部と
を備え、
　前記回転処理部は、前記帯域成分に少なくとも一つのコードブロックが含まれるように前記変換係数をコードブロックに分割し、前記変換係数を前記コードブロック単位で回転し、前記帯域成分にコードブロックが複数含まれる場合には前記帯域成分内における前記変換係数の相互の位置関係が保たれるように前記複数のコードブロックを配列することによって、前記帯域成分単位での前記回転処理を行う、
画像符号化装置。」
　
　なお、「前記コードブロックに対してエントロピー符号化を行う符号化
部」の記載より前に「コードブロック」の記載はないが、この「前記コードブロック」がその次の段落に「前記回転処理部は、前記帯域成分に少なくとも一つのコードブロックが含まれるように前記変換係数をコードブロックに分割し、……」と記載された「コードブロック」であることは明らかであ
り、請求項１の記載は文言上正しいものではないが、明確であるから、記載のとおりとする。
　
３．引用例
　平成２３年７月２１日付けの前置報告書に引用された特開２０００−７８０１９号公報（以下、「引用例１」という。）、及び特開２００４−１９４１５２号公報（以下、「引用例２」という。）には、図面とともに以下の記載がなされている。
　
３−１．引用例１
（１）「【特許請求の範囲】
【請求項１】  デジタル信号を複数の周波数部分帯域にスペクトル分解する少なくとも１つの過程を含む符号化方法によって符号化されたＮ次元のデジタル信号を含む圧縮データファイルを幾何トランスコーディングする方法において、
デジタル信号の各方向における周波数部分帯域の係数と関連するシンボルを抽出する抽出過程と、
前記シンボルに幾何変換を適用する過程と、
デジタル信号のＮ個の方向それぞれにおけるシンボルの正規順序又は反転順序を表すＮ個の標識を更新する過程と、
前記抽出過程の逆によって符号化デジタル信号を再構成する過程とを含むことを特徴とするトランスコーディング方法。
【請求項２】  前記抽出過程は符号化デジタル信号の読み取りを含み、シンボルは、スペクトル分解により得られる周波数部分帯域の係数とそれぞれ関連するエントロピー符号であることを特徴とする請求項１記載のトランス
コーディング方法。
……
【請求項６】  前記デジタル信号は二次元であり、適用される幾何変換は、前記シンボルの軸対称又は中心対称による変換、９０°の倍数の回転による変換、又はそれらの変換の組み合わせであることを特徴とする請求項１から５のいずれか１項に記載のトランスコーディング方法。
【請求項７】  適用される幾何変換が９０°又は２７０°の回転から成る場合、デジタル信号の第１の方向に低周波数の係数を有し且つデジタル信号の第２の方向に高周波数の係数を有する周波数部分帯域を、スペクトル分解時に同じ分解能レベルであり、前記第１の方向に高周波数の係数を有し且つ前記第２の方向に低周波数の係数を有する周波数部分帯域と転置する過程を更に含むことを特徴とする請求項６記載のトランスコーディング方法。」
　
（２）「【０００１】
【発明の属する技術分野】本発明は、圧縮デジタル信号を幾何トランスコーディングする方法及び装置に関する。また、本発明は、幾何トランスコー
ディング方法及び装置と関連する符号化方法及び装置、並びに復号方法及び装置にも関する。本発明の技術分野は、圧縮デジタルデータを操作する方法の分野である。
【０００２】
【従来の技術】幾何トランスコーディングは、１つの圧縮デジタルデータ
ファイルを、復号されたときに、初期圧縮データファイル中の初期符号化デジタル信号に対して幾何変換を受けたデジタル信号を表現する別の圧縮デジタルデータファイルに変換する操作である。
【０００３】一次元デジタル信号又は多次元デジタル信号の幾何変換は、デジタル信号の１つ又は２つ以上の方向にデジタル信号のサンプルの順序を変化させることから成る。
【０００４】実際に、例えば、画像の場合、画像を表現するデジタル信号を操作することにより、軸対称又は中心対称、あるいは画像の回転を発生させることができる。
【０００５】特に、圧縮デジタルデータファイルの伸長のために必要な計算の回数や、メモリのスペースを少なくするためには、符号化デジタル信号を含むファイルを伸長し、その後、再び圧縮するという手間をかける必要な
く、符号化デジタル信号の上記のような操作と変換を実行できることがとりわけ有利である。」
　
（３）「【０００９】
【課題を解決するための手段】この目的のために、本発明は、デジタル信号を複数の周波数部分帯域にスペクトル分解する少なくとも１つの過程（Ｅ
６）を含む符号化方法によって符号化されたＮ次元のデジタル信号（Ｓ）を含む圧縮データファイル（Ｆ）を幾何トランスコーディングする方法に関する。
……
【００３７】標識をデジタル信号の各方向と関連付けることにより、トランスコーディングの時点で、デジタル信号を格納しているスペースのあらゆる方向における、圧縮形態のデジタル信号の変換を考慮に入れるために、これらの標識を修正することが可能になる。」
　
（４）「【００６６】本発明によれば、符号化装置は、デジタル信号の各方向と関連するＮ個の標識の符号化デジタル信号を含む圧縮データをファイルＦに入力する入力手段５を有する。この場合、Ｎは２に等しい。
【００６７】この標識は、その標識と関連する方向における周波数部分帯域の信号の係数の正規の順序を表す初期値を有する補助ビットの形態をとる。
【００６８】２次元の画像の場合、圧縮ファイルＦには、デジタル信号Ｓの水平方向と関連する第１の標識Ｉｈと、垂直方向と関連する第２の標識Ｉｖの２つの標識が入力される。
【００６９】部分帯域係数の、すなわち、幾何変換を全く受けていない画像の正規の順序を表す初期値は、例えば、０に等しくても良い。
【００７０】このように、符号化装置の出力端子では、符号化はされたが、幾何学的に変換されていないデジタル信号Ｓと、初期値０と共に入力された標識Ｉｈ及びＩｖから成る圧縮データファイルＦが得られる。
【００７１】次に、図２を参照して、先に説明した符号化装置によって圧縮ファイルＦをトランスコーディングするための、本発明の一実施例によるトランスコーディング装置を説明する。
【００７２】この幾何トランスコーディング装置は、デジタル信号の各方向における周波数部分帯域の係数と関連するシンボルを抽出する抽出手段６
と、シンボルに幾何変換を適用する適用手段７と、デジタル信号の２つの方向それぞれにおけるシンボルの正規順序又は反転順序を表す標識Ｉｈ及びＩｖを更新する更新手段８と、圧縮ファイルＦ*で幾何変換された符号化デジ
タル信号を再構成する再構成手段１０とを有する。
【００７３】この例では、先に説明した符号化装置の実施例に関連して、抽出手段６は符号化デジタル信号のエントロピー符号化を実行するものであ
り、シンボルは、スペクトル分解により得られた周波数部分帯域の信号の係数ｃｉとそれぞれ関連する量子化シンボルｑｉである。
【００７４】幾何変換を適用する手段７は、例えば、軸対称又は中心対称によるシンボルｑｉの変換、９０°の倍数の回転による変換、又はこれらの変換の組み合わせを実行する。この手段は圧縮ファイルの画像の幅と高さを更新する。幅と高さは、画像を９０°又は２７０°回動させたときに反転される。
【００７５】復号画像は、例えば、軸対称（垂直又は水平）に従って変換されても良く、あるいは、上下反転（１８０°回転）又は別の方向に向けること（９０°又は２７０°回転）も可能である。
【００７６】標識Ｉｈ及びＩｖを更新する手段８は、適用された変換がその標識と関連する方向のシンボルの順序を変更したときに標識の値を修正す
る。シンボルの順序が分解に対して反転されたとき、標識の値は１に等しくなる。
【００７７】表１は、適用される幾何変換の種類ごとに、トランスコーディング済み圧縮ファイル中の前の値と置き換えられる標識Ｉｈ及びＩｖの新たな値Ｉ’ｈ及びＩ’ｖを示す。
【００７８】それらの新たな値Ｉ’ｈ及びＩ’ｖは、適用される幾何変換
と、標識Ｉｈ及びＩｖの前の値との関数である。
【００７９】ビットＩの逆値であるビットを、以下の説明においてはｉｎｖ（Ｉ）とする。すなわち、Ｉ＝０であるとき、ｉｎｖ（Ｉ）＝１、Ｉ＝１であるとき、ｉｎｖ（Ｉ）＝０となる。
【００８０】回転は時計回り方向で指示されている。
【００８１】
【表１】
……
【００８２】この例では、再構成手段１０は、幾何変換されたデジタル信号を含むデータファイルを再圧縮するためのエントロピー符号化手段である。
【００８３】２次元のこの実施例においては、トランスコーディング装置
は、デジタル信号の第１の方向で低周波数の係数ｃｉ及びデジタル信号の第２の方向で高周波数の係数ｃｉを有する周波数部分帯域ＨＬ３、ＨＬ２及びＨＬ１を、スペクトル分解時の分解能レベルが同じであり、第１の方向で高周波数の係数ｃｉ及び第２の方向で低周波数の係数ｃｉを有する周波数部分帯域ＬＨ３、ＬＨ２及びＬＨ１のそれぞれと転置する手段９を更に具備す
る。部分帯域のこの転置は、適用された幾何変換が係数ｃｉの方向を変える９０°又は２７０°の回転を含む場合に実行される。
【００８４】このようにして、トランスコーディング装置の出力端子では、復号時に、復号デジタル信号Ｓ*が初期デジタル信号Ｓに対して幾何変換さ
れているように初期圧縮データファイルＦに対してトランスコーディングされた圧縮データファイルＦ*が得られる。
【００８５】次に、図３を参照して、先に説明したトランスコーディング装置によってトランスコーディングされた圧縮データファイルを復号することを可能にする、本発明の一実施例に従った復号装置を説明する。」
　
（５）「【０１５１】図１１は、所定の順序で順序付けされたいくつかのデジタル信号Ａ、Ｂ、Ｃ、Ｄを含む圧縮データファイルＦに本発明によるトランスコーディング方法を適用した場合を示す。
【０１５２】これは、特に、初期デジタル信号、例えば、画像を信号部分要素に分割し、各信号部分要素を個別に符号化し、初期デジタル信号を後に再構成できるように各信号部分要素を所定の順序で圧縮データファイルに格納したような場合である。
【０１５３】各部分信号Ａ、Ｂ、Ｃ及びＤは別個の部分信号Ａ’、Ｂ’、
Ｃ’及びＤ’にトランスコーディングされ、次に、それらのトランスコー
ディングされた信号を適用される幾何変換に従って再び順序付けする。すなわち、信号Ａ、Ｂ、Ｃ及びＤの連続シーケンスを含む圧縮データファイルＦは、トランスコーディングの終了時には、信号Ｂ’、Ａ’、Ｄ’及びＣ’の連続シーケンスを含む圧縮データファイルＦ*になる。
【０１５４】図１２に示すように、この特定の実施例においては、トランスコーディング方法は、適用される幾何変換に従ってデジタル信号Ａ、Ｂ、
Ｃ、Ｄを順序付けするステップＥ４０を更に含む。」
　
３−２．引用例２
（６）「【００４０】
次に、JPEG2000アルゴリズムについて説明する。
……
【００４５】
この量子化の処理が終わったウェーブレット係数は、個々のサブバンド毎
に、「プレシンクト」と呼ばれる重複しない矩形に分割される。これは、インプリメンテーションでメモリを効率的に使うために導入されたものであ
る。図４に示したように、一つのプレシンクトは、空間的に一致した３つの矩形領域からなっている。更に、個々のプレシンクトは、重複しない矩形の「コード・ブロック」に分けられる。これは、エントロピー・コーディングを行う際の基本単位となる。
【００４６】
ウェーブレット変換後の係数値は、そのまま量子化し符号化することも可能であるが、JP
EG2000では符号化効率を上げるために、係数値を「ビットプレーン」単位に分解し、画素あるいはコード・ブロック毎に「ビットプレーン」に順位付けを行うことができる。
【００４７】
ここで、図５はビットプレーンに順位付けする手順の一例を示す説明図である。図５に示すように、この例は、原画像（３２×３２画素）を１６×１６画素のタイル４つで分割した場合で、デコンポジション・レベル１のプレシンクトとコード・ブロックの大きさは、各々８×８画素と４×４画素としている。プレシンクトとコード・ブロックの番号は、ラスター順に付けられており、この例では、プレンシクトが番号０から３まで、コード・ブロックが番号０から３まで割り当てられている。タイル境界外に対する画素拡張にはミラーリング法を使い、可逆（５，３）フィルタでウェーブレット変換を行い、デコンポジション・レベル１のウェーブレット係数値を求めている。
【００４８】
また、タイル０／プレシンクト３／コード・ブロック３について、代表的な「レイヤ」構成の概念の一例を示す説明図も図５に併せて示す。変換後の
コード・ブロックは、サブバンド（１ＬＬ，１ＨＬ，１ＬＨ，１ＨＨ）に分割され、各サブバンドにはウェーブレット係数値が割り当てられている。
【００４９】
レイヤの構造は、ウェーブレット係数値を横方向（ビットプレーン方向）から見ると理解し易い。１つのレイヤは任意の数のビットプレーンから構成される。この例では、レイヤ０，１，２，３は、各々、１，３，１，３のビットプレーンから成っている。そして、ＬＳＢ（Least Significant Bit：最
下位ビット）に近いビットプレーンを含むレイヤ程、先に量子化の対象となり、逆に、ＭＳＢ（Most Significant Bit：最上位ビット）に近いレイヤは最後まで量子化されずに残ることになる。ＬＳＢに近いレイヤから破棄する方法はトランケーションと呼ばれ、量子化率を細かく制御することが可能である。」
　
４．対比
　本願発明と引用例１に記載された発明（以下、「引用発明」という。）とを対比すると、次の点で一致する。
　
「ウェーブレット変換によって画像信号を高域成分と低域成分とに再帰的に帯域分割することにより、複数の帯域成分の変換係数を生成するウェーブ
レット変換部と、
　前記変換係数に対して量子化を行う量子化部と、
　量子化された前記変換係数を前記帯域成分単位で回転させる回転処理を、外部から入力された、回転角（０°と９０°と１８０°と２７０°のうちのいずれか）を含む回転制御情報に基づいて行う回転処理部と、
　前記変換係数に対してエントロピー符号化を行う符号化部と
を備えた、
　画像符号化装置。」
　
　また次の点で相違する。
　
　相違点
　本願発明は、「回転処理部」が「前記帯域成分に少なくとも一つのコードブロックが含まれるように前記変換係数をコードブロックに分割し、前記変換係数を前記コードブロック単位で回転し、前記帯域成分にコードブロックが複数含まれる場合には前記帯域成分内における前記変換係数の相互の位置関係が保たれるように前記複数のコードブロックを配列することによって、前記帯域成分単位での前記回転処理を行う」ものであり、「符号化部」が変換係数を分割したそのコードブロックに対してエントロピー符号化を行うのに対して、引用発明は、コードブロックについての特定のない点。
　
５．相違点に対する判断
　変換係数をコードブロックに分割すること自体は、上記引用例２にJPEG2000アルゴリズムとして説明されているように周知のことである。
　しかし、エントロピー符号化を行う際の基本単位としてのコードブロックであって、コード・ブロック毎にビットプレーンに順位付けを行うことで、量子化率を細かく制御することが可能であることが知られているとしても、画像の回転処理の単位とすることまで周知であるとはいえないし、エントロピー符号化を行う際の基本単位以外の基本単位とすることが示唆されているわけでもない。
　なお、平成２３年７月２１日付けの前置報告書では、
新規性について（「引用文献２」とあるのは引用例１）
「ここで、引用文献２には、帯域成分に複数のコードブロックが存在する場合について言及していないが、本願発明の「前記帯域成分に少なくとも一つのコードブロックが含まれるように前記変換係数をコードブロックに分割」の記載によれば、本願発明は帯域成分に含まれるコードブロックが１つのみの場合を包含するものであり、その場合は両者に差異は認められない。」
と、
進歩性について（「引用文献１」とあるのは引用例２）
「また、「帯域成分に少なくとも一つのコードブロックが含まれるように変換係数をコードブロックに分割」すること自体は、例えば引用文献１の図５等にも示されるように周知技術に過ぎず、特段の技術的特徴を構成するものでもない。そして、引用文献２に記載された発明は帯域成分全体を回転させることが基本となっていることに鑑みれば、「帯域成分にコードブロックが複数含まれる場合には前記帯域成分内における前記変換係数の相互の位置関係が保たれるように前記複数のコードブロックを配列することによって、前記帯域成分単位での前記回転処理を行う」ことは、引用文献２に記載された発明に帯域成分を複数のコードブロックに分割する周知技術を適用するに当たり、自ずと導出されることに過ぎない。」
と判断している。
　しかし、本願発明は「ウェーブレット変換によって画像信号を高域成分と低域成分とに再帰的に帯域分割することにより、複数の帯域成分の変換係数を生成する」ものであるから、複数の帯域成分の変換係数を生成すること
で、既に変換係数は帯域成分に分割されており、本願発明がすべての帯域成分に含まれるコードブロックが１つのみの場合を包含するとすれば、「前記変換係数をコードブロックに分割し」とあるのが分割しないことも含むこととなり不自然である。
　また、すべての帯域成分に含まれるコードブロックが１つのみの場合は、本願の明細書又は図面には記載されていない。
　「前記帯域成分に少なくとも一つのコードブロックが含まれるように前記変換係数をコードブロックに分割し」とあるのは、例えば図１６の分解レベル「３」の帯域成分は一つのコードブロックしか含まず、分割されないが、それ以外の帯域成分は複数のコードブロックに分割されるような、コードブロックが１つのみの帯域成分だけでなく、複数のコードブロックに分割される帯域成分があることを意味すると解するのが適当である。
　したがって、本願発明は引用発明と同一の発明ではない。
　さらに、上記のようにエントロピー符号化を行う際の基本単位としての
コードブロックが周知であるとしても、引用発明にそのような周知技術を適用すると、エントロピー符号化を行うために変換係数をコードブロックに分割する次の発明となり、本願発明と同様の発明が得られるわけではない。
　
「ウェーブレット変換によって画像信号を高域成分と低域成分とに再帰的に帯域分割することにより、複数の帯域成分の変換係数を生成するウェーブ
レット変換部と、
　前記変換係数に対して量子化を行う量子化部と、
　量子化された前記変換係数を前記帯域成分単位で回転させる回転処理を、外部から入力された、回転角（０°と９０°と１８０°と２７０°のうちのいずれか）を含む回転制御情報に基づいて行う回転処理部と、
　前記回転処理を行った変換係数をコードブロックに分割する手段と、
　前記コードブロックに対してエントロピー符号化を行う符号化部と
を備えた、
画像符号化装置。」
　
　したがって、本願発明は引用発明に周知技術を適用して、当業者が容易に発明をすることができたものでもない。
　
　請求項２−４に係る発明は、請求項１を引用するものであるから、本願発明と同様に、引用発明と同一の発明ではないし、引用発明に基づいて当業者が容易に発明をすることができたものでもない。
　また、請求項５に係る発明も、コードブロック単位で回転処理を行うものであるから、請求項５及びそれを引用する請求項６−８に係る発明も、本願発明と同様に、引用発明と同一の発明ではないし、引用発明に基づいて当業者が容易に発明をすることができたものでもない。
　
６．むすび
　以上のとおり、本願の請求項１−８に係る発明は、引用発明と同一の発明ではないし、引用発明に基づいて、当業者が容易に発明をすることができたものでもない。
　そして、本願については、原査定の拒絶理由を検討してもその理由によって拒絶すべきものとすることはできない。
　また、他に本願を拒絶すべき理由を発見しない。
　よって、結論のとおり審決する。